(57)【要約】【課題】  野球用グラブにおいて、捕球具用指締付調整具により指に対する密着感を調整する。【解決手段】  指締付調整具２０のバンド部２１の両端には、相互に接着剥離自在とした第１、第２の接着片２２、２３が付設されている。  指締付調整具２０を野球用グラブに組み付けるには、背面革４のバンド挿通孔２４ａ、手掌革３のバンド挿通孔２５ａを通し、更に手掌革３と受球面革２との積層面間を通して、手掌革３のバンド挿通孔２５ｂ、背面革４のバンド挿通孔２４ｂを挿通し、第１の接着片２２の裏面を背面革４に固定する。次いで、背面革４上に引き出したバンド部２１に第２の接着片２２を取り付ける。  プレーヤは指を指挿入部に挿入し、第２の接着片２３を引いてバンド部２１により指周りを締め付け、指への密着度を調整する。密着度が適切となったところで、第２の接着片２３を第１の接着片２２に接着して、この密着度を保持する。【選択図】図３
2018143512.tif 000002
【特許請求の範囲】
【請求項１】
紐状のバンド部を有し、捕球具に取り付けて使用する捕球具用指締付調整具であって、
前記バンド部の一方の端部及び他方の端部には、それぞれ相互に接着剥離自在の接着面を有する第１の接着片及び第２の接着片が取り付けられていることを特徴とする捕球具用指締付調整具。
【請求項２】
装着する手の人差指、中指、薬指の少なくとも１つの指挿入部に捕球具用指締付調整具が付設された捕球具であって、
前記捕球具用指締付調整具は指挿入部の入口部において、前記背面革の表面に紐状のバンド部の一方の端部が固定され、該バンド部の他方の端部は背面革から手掌革に挿通し、更に折り返して手掌革から背面革に挿通して前記背面革の表面に引き出されており、
前記一方の端部及び他方の端部には、それぞれ相互に接着剥離自在の接着面を有する第１の接着片及び第２の接着片が取り付けられ、
他の手により前記第２の接着片側の前記バンド部を引いて前記指挿入部に挿入した指に対する締付力を調整可能とし、調整後に前記第２の接着片を前記第１の接着片に接着することで前記締付力を保持することを特徴とする捕球具。
【請求項３】
前記バンド部は平革紐とされていることを特徴とする請求項２に記載の捕球具。
【請求項４】
前記背面革、手掌革には前記バンド部を挿通するためのバンド挿通孔が設けられていることを特徴とする請求項２又は３に記載の捕球具。
【請求項５】
前記第１、第２の接着片は、シート材に接着剥離自在の面ファスナを取り付けた構造をしていることを特徴とする請求項２〜４の何れか１項に記載の捕球具。
【発明の詳細な説明】
【技術分野】
【０００１】
本発明は、野球やソフトボールにおいて、一塁手を含む内野手や、外野手が使用する野球・ソフトボール用の捕球具用指締付調整具及び該調整具を付設した捕球具に関するものである。
【背景技術】
【０００２】
野球用グラブはプレーヤの手に馴染ませ、密着感や安定感を持たせる必要があり、例えば捕球面の裏側の手甲部には手口バンドが設けられている。手口バンドの長さは革紐挿通孔の組合わせを選択して革紐で結合することにより、手の甲に対するグラブの密着度等を調整することができるようになっている。
【０００３】
更に、特許文献１の野球用グラブでは、親指や小指の周囲に、それぞれ革紐を挿通し、これらの革紐を引っ張ることでプレーヤの親指や小指に対する密着度の調整を可能としている。
【先行技術文献】
【特許文献】
【０００４】
【特許文献１】特開２００４−１１３２５９号公報
【発明の概要】
【発明が解決しようとする課題】
【０００５】
しかし、特許文献１の野球用グラブの親指や小指に対する調整は、野球用グラブを購入した際に、使用者が手に密着するように革紐を締め上げた後に結ぶだけであり、その後は殆ど調整のために結び直すことはしない。
【０００６】
しかし、内野手や外野手ではその守備位置に適合するような更なる密着性が望まれており、従来の特許文献１の野球用グラブでは、手に薄手の手袋を装着してからその上に野球用グラブを装着したりして、人差指、中指、薬指の密着性を調整することもある。
【０００７】
また、プレーヤが外野手から内野手に、或いは内野手から外野手に守備位置が変わった場合では、守備位置に適応した人差指、中指、薬指に対する野球グラブの密着感等を調整できることが望まれている。しかし、上述の手袋の装着等による密着性の調整では、守備位置による異なる細かな微妙な密着性を調整することができない。
【０００８】
本発明の目的は、上述の要望に対応し、補球具の人差指、中指、薬指の少なくとも１つの指挿入部に対して、片手で容易に締め付けを可能とし、密着感や安定感が得られる捕球具用指締付調整具及び該調整具を付設した捕球具を提供することにある。
【課題を解決するための手段】
【０００９】
上記目的を達成するための本発明に係る捕球具用指締付調整具は、紐状のバンド部を有し、捕球具に取り付けて使用する捕球具用指締付調整具であって、前記バンド部の一方の端部及び他方の端部には、それぞれ相互に接着剥離自在の接着面を有する第１の接着片及び第２の接着片が取り付けられていることを特徴とする。
【００１０】
また、本発明に係る捕球具は、装着する手の人差指、中指、薬指の少なくとも１つの指挿入部に捕球具用指締付調整具が付設された捕球具であって、前記捕球具用指締付調整具は指挿入部の入口部において、前記背面革の表面に紐状のバンド部の一方の端部が固定され、該バンド部の他方の端部は背面革から手掌革に挿通し、更に折り返して手掌革から背面革に挿通して前記背面革の表面に引き出されており、前記一方の端部及び他方の端部には、それぞれ相互に接着剥離自在の接着面を有する第１の接着片及び第２の接着片が取り付けられ、他の手により前記第２の接着片側の前記バンド部を引いて前記指挿入部に挿入した指に対する締付力を調整可能とし、調整後に前記第２の接着片を前記第１の接着片に接着することで前記締付力を保持することを特徴とする。
【発明の効果】
【００１１】
本発明に係る捕球具用指締付調整具及び該調整具を付設した捕球具によれば、人差指、中指、薬指の少なくとも１つの指挿入部に対して付設することにより、指挿入部に挿入した指に対して、片手で密着度を容易に調整することが可能である。
【図面の簡単な説明】
【００１２】
【図１】実施例の野球用グラブの背面から見た斜視図である。
【図２】捕球具用指締付調整具の斜視図である。
【図３】捕球具用指締付調整具の指周りの断面図である。
【図４】捕球具用指締付調整具を締め付けた状態の構成図である。
【発明を実施するための形態】
【００１３】
本発明を図示の実施例に基づいて詳細に説明する。
図１は実施例における左手用の補球具である野球用グラブの背面から見た斜視図を示している。
【００１４】
野球用グラブ１は天然皮革又は合成皮革から成り、ボールを捕球する受球面革２は１枚の皮革で造られ、その裏側に手掌革３が貼り合わせられている。更に、手掌革３の外側には背面革４が設けられ、背面革４の先端側の内部には親指、人差指、中指、薬指、小指の各指用の指革５〜９が形成され、各指を挿入できる指挿入部１０〜１４が仕切壁部１５により区画されている。
【００１５】
親指を挿入する指挿入部１０と人差指を挿入する指挿入部１１との間には、干字形、或いは革紐により編まれたウェブ１６が設けられている。また、革紐により指挿入部１０〜１４の先端部同士及び先端部とウェブ１６とを連結することにより、各指挿入部１０〜１４が分離せずに、グラブ形状が保持されている。
【００１６】
更に、親指挿入部１０と小指挿入部１４には、この野球用グラブ１を使用し始める際に、親指、小指に対する密着度を調整するための調整用革紐１７、１８がそれぞれ取り付けられて緊縛状態とされている。
【００１７】
野球用グラブ１の手首側には、端部１９ａを自由端部とした手口バンド１９の根元部が、背面革４の親指側に縫い付けられて配置され、手口バンド１９の端部１９ａは背面革４の小指側に取り付けられている。端部１９ａ、背面革４の小指側にそれぞれ設けられた孔部に革紐を通すことにより、手口バンド１９の端部１９ａを小指側の適当な位置に固定することができ、手口バンド１９の長さはプレーヤの手の大きさや好み等により革紐を通し直すことで、手首に対する密着度を調整することができるようになっている。
【００１８】
本実施例においては、背面革４の人差指、中指、薬指の根元側、つまり指挿入部１１〜１３の各入口部に、指に対する締付力を調整するための捕球具用指締付調整具２０が取り付けられている。
【００１９】
実際には、指締付調整具２０は指挿入部１１〜１３ごとに付設することが好ましいが、図示の都合上、中指のみ指締付調整具２０を取り付けた状態を図示し説明する。指締付調整具２０は、人差指、中指、薬指の全ての指挿入部に設けてもよいし、人差指、中指、薬指のうちの２本の指挿入部に設けてもよいし、或いは人差指、中指、薬指の何れか１本の指挿入部にのみ設けるようにしてもよい。
【００２０】
図２に示すように、指締付調整具２０は平革紐から成るバンド部２１を有しており、この紐状のバンド部２１の両端には、広い面積を有する例えば略長方形であってシート状の第１、第２の接着片２２、２３が縫製などにより付設されている。
【００２１】
これらの接着片２２、２３は、革等から成るシート材に相互に接着剥離自在の接着面となる面ファスナが取り付けられた構造となっている。また、接着片２２、２３はバンド部２１より幅広としているが、同等の幅であってもよく、第１の接着片２２の幅は、各指挿入部の横幅と略一致している。
【００２２】
図３に示すように、中指の指挿入部１２の入口側の背面革４、手掌革３には中指を挟むように、それぞれバンド挿通孔２４ａ、２４ｂ、２５ａ、２５ｂが設けられている。
【００２３】
指締付調整具２０を野球用グラブ１に組み付けるには、中指の周囲に設けた背面革４のバンド挿通孔２４ａ、手掌革３のバンド挿通孔２５ａを通し、更に手掌革３と受球面革２との積層面間を通して折り返し、他側の手掌革３のバンド挿通孔２５ｂ、背面革４のバンド挿通孔２４ｂを挿通する。
【００２４】
そして、予めバンド部２１の一方の端部に取り付けておいた第１の接着片２２の裏面を、バンド挿通孔２４ａ脇の背面革４の表面に縫い付けて固定する。次いで、背面革４の表面に引き出されたバンド部２１の他方の端部に、第２の接着片２２を縫合等により取り付ける。
【００２５】
この指締付調整具２０の取り付けは、野球用グラブ１の製造時において行うことが好ましいが、既製の野球用グラブ１に取り付ける場合には、バンド部２１を手掌革３と受球面革２との間を挿通するために、野球用グラブ１の一部を解体することが必要となる。
【００２６】
この指締付調整具２０を例えば人差指、中指、薬指ごとに取り付けた野球用グラブ１をプレーヤが使用するには、図４に示すように、左手Ｈの親指〜小指をそれぞれ指挿入部１０〜１４に挿入する。その後に、人差指、中指、薬指ごとに、右手で指締付調整具２０の第２の接着片２３側のバンド部２１を引くことにより指周りを締め付け、各指への密着を調整する。密着度が適切となったところで、第２の接着片２３を第１の接着片２２に面ファスナ同士により接着して、この密着度を保持する。
【００２７】
プレーヤはこのバンド部２１による締め付け動作を、野球用グラブ１を手に嵌めるごとに行い、守備からベンチに戻る際に、他の手により第２の接着片２３を第１の接着片２２から剥離して、バンド部２１を緩めてから、指挿入部１０〜１４から指を抜くようにすることが好ましい。
【００２８】
また、実施例においては、内野手、外野手の野球用グラブ１について説明したが、ソフトボール用グラブであってもよく、或いは一塁手用のファーストミットに対しても適用することができる。
【００２９】
実施例の捕球具用指締付調整具２０は、既製の野球用グラブ１に対する部品として、製造、販売することもできる。この場合には、図２に示すようにバンド部２１の片端に第１の接着片２２を縫い付け、他端には第２の接着片２３が取り付け可能とされたものが販売される。
【００３０】
指締付調整具２０の購入者は、既存の野球用グラブ１を或る程度、解体し、バンド挿通孔２４ａ、２４ｂ、２５ａ、２５ｂを穿けてから、第１の接着片２２を背面革４に固定し、バンド部２１を野球用グラブ１に挿通した後に、背面革４の表面側に引き出したバンド部２１の他端に第２の接着片２３を取り付けることになる。
【００３１】
このように、人差指、中指、薬指の少なくとも１つの指挿入部に対して指締付調整具２０を付設することにより、野球用グラブ１の指挿入部に挿入する指に対して、他の手で密着度を容易に調整することが可能である。
【符号の説明】
【００３２】
１  野球用グラブ
２  受球面革
３  手掌革
４  背面革
５〜９  指革
１０〜１４  指挿入部
２０  捕球具用指締付調整具
２１  バンド部
２２、２３  接着片
２４、２５  バンド挿通孔
【図１】
2018143512.tif 000003
【図２】
2018143512.tif 000004
【図３】
2018143512.tif 000005
【図４】
2018143512.tif 000006
【手続補正書】
【提出日】平成29年6月26日(2017.6.26)
【手続補正１】
【補正対象書類名】特許請求の範囲
【補正対象項目名】全文
【補正方法】変更
【補正の内容】
【特許請求の範囲】
【請求項１】
装着する手の人差指、中指、薬指の少なくとも１つの指挿入部に捕球具用指締付調整具が付設された捕球具であって、
前記捕球具用指締付調整具は指挿入部の入口部において、前記背面革の表面に紐状のバンド部の一方の端部が固定され、該バンド部の他方の端部は背面革から手掌革に挿通し、更に折り返して手掌革から背面革に挿通して前記背面革の表面に引き出されており、
前記一方の端部及び他方の端部には、それぞれ相互に接着剥離自在の接着面を有する第１の接着片及び第２の接着片が取り付けられ、
他の手により前記第２の接着片側の前記バンド部を引いて前記指挿入部に挿入した指に対する締付力を調整可能とし、調整後に前記第２の接着片を前記第１の接着片に接着することで前記締付力を保持することを特徴とする調整具を付設した捕球具。
【請求項２】
前記バンド部は平革紐とされていることを特徴とする請求項１に記載の調整具を付設した捕球具。
【請求項３】
前記背面革、手掌革には前記バンド部を挿通するためのバンド挿通孔が設けられていることを特徴とする請求項１又は２に記載の調整具を付設した捕球具。
【請求項４】
前記第１、第２の接着片は、シート材に接着剥離自在の面ファスナを取り付けた構造をしていることを特徴とする請求項１〜３の何れか１項に記載の調整具を付設した捕球具。
【手続補正３】
【補正対象書類名】明細書
【補正対象項目名】０００１
【補正方法】変更
【補正の内容】
【０００１】
本発明は、野球やソフトボールにおいて、一塁手を含む内野手や、外野手が使用する調整具を付設した捕球具に関するものである。
【手続補正４】
【補正対象書類名】明細書
【補正対象項目名】０００８
【補正方法】変更
【補正の内容】
【０００８】
本発明の目的は、上述の要望に対応し、捕球具の人差指、中指、薬指の少なくとも１つの指挿入部に対して、片手で容易に締め付を可能とし、密着感や安定感が得られる調整具を付設した捕球具を提供することにある。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】変更
【補正の内容】
【００１０】
上述の目的を達成するための本発明に係る調整具を付設した捕球具は、装着する手の人差指、中指、薬指の少なくとも１つの指挿入部に捕球具用指締付調整具が付設された捕球具であって、前記捕球具用指締付調整具は指挿入部の入口部において、前記背面革の表面に紐状のバンド部の一方の端部が固定され、該バンド部の他方の端部は背面革から手掌革に挿通し、更に折り返して手掌革から背面革に挿通して前記背面革の表面に引き出されており、前記一方の端部及び他方の端部には、それぞれ相互に接着剥離自在の接着面を有する第１の接着片及び第２の接着片が取り付けられ、他の手により前記第２の接着片側の前記バンド部を引いて前記指挿入部に挿入した指に対する締付力を調整可能とし、調整後に前記第２の接着片を前記第１の接着片に接着することで前記締付力を保持することを特徴とする。
【手続補正７】
【補正対象書類名】明細書
【補正対象項目名】００１１
【補正方法】変更
【補正の内容】
【００１１】
本発明に係る調整具を付設した捕球具によれば、人差指、中指、薬指の少なくとも１つの指挿入部に対して付設することにより、指挿入部に挿入した指に対して、片手で密着度を容易に調整することが可能である。